(57)【要約】      （修正有）【課題】監視カメラを、下から覗かれているという不信感を乗客に与えず、かつ乗客の邪魔にならない位置に設けることができ、また、監視カメラに接続される電線の露出を容易に抑えることができるエスカレータ監視装置。【解決手段】エスカレータの上り方向を前方向とした場合の保護体としての可動警告板の後端側に筒体１０を吊り下げる。この筒体１０の上部に監視カメラ１１が収容されている。外デッキボード６の内側には映像記録装置２５が設置されている。この映像記録装置２５に監視カメラ１１を接続する電線部材２０は、筒体１０内の上端から下端に向かって延び、さらにその下端から外デッキボード６まで延び、さらに外デッキボード６の内側に配線されている。【選択図】図２
2011020774.tif 000002
【特許請求の範囲】
【請求項１】
下階の天井とエスカレータの移動手摺との間に形成された狭角部、または、交差した状態で隣接する２つのエスカレータのうちの一方のエスカレータの底部と、他方のエスカレータの移動手摺との間に形成された狭角部と、前記狭角部に設けられ前記エスカレータの上昇運転時に乗客が前記狭角部に挟まれるのを防止するための保護体とを有する建物に設けられるエスカレータ監視装置において、
前記エスカレータおよび乗客を撮影する監視カメラと、
前記監視カメラを外部装置に電気的に接続する電線部材と、
前記エスカレータの上り方向を前方向とした場合の前記保護体の後端側に上下方向に延びた姿勢で設けられた筒体であって、前記監視カメラが収容されたカメラ収容筒と、
前記エスカレータの上り方向を前方向とした場合の前記保護体の後端側に上下方向に延びた姿勢で設けられた筒体であって、前記電線部材の一部が収容された配線筒と、
前記エスカレータの欄干の基部の外側に設けられ、前記電線部材の前記一部とは別の一部が収容される外デッキボードとを有し、
前記電線部材は前記カメラ収容筒の下端から出されて前記外デッキボードの内側に導かれた状態に配線された
ことを特徴とするエスカレータ監視装置。
【請求項２】
請求項１記載のエスカレータ監視装置において、
前記保護体が、前記天井または前記底部に対し固定された固定保護体と、この固定保護体よりも後側で前記天井または前記底部に吊り下げられた可動警告体であり、
前記固定保護体の後端と前記可動警告体の後端との少なくとも一方に上下方向に延びた筒部が一体に設けられ、
前記可動警告体の筒部の後方に上下方向に延びた筒体が前記天井または前記底部に吊り下げられ、
前記筒体が前記カメラ収容筒と前記配線筒を兼ねるものである
ことを特徴とするエスカレータ監視装置。
【請求項３】
請求項２記載のエスカレータ監視装置において、
前記電線部材は第１〜第４電線部材が一筋に接合されて構成された部分を有するものであり、
前記第１電線部材は一端が前記監視カメラに接続され他端に接続端子を有するものであり、
前記第２，第３電線部材は両端に接続端子を有するものであり、
前記第４電線部材は一端に前記外デッキボードから露出して配置された接続端子を有し他端が直接または間接的に前記外部装置に接続されたものであり、
前記第１電線部材の他端の接続端子と前記第２電線部材の一端の接続端子とが接続され、かつ前記第２電線部材の他端の接続端子と前記第３電線部材の一端の接続端子とが接続され、かつ前記第３電線部材の他端の接続端子と前記第４電線部材の一端の接続端子とが接続され、かつ前記第２電線部材のうちの少なくとも接続端子を除く部分は前記筒体に収容された状態である
ことを特徴とするエスカレータ監視装置。
【請求項４】
請求項１記載のエスカレータ監視装置において、
前記保護体が、前記天井または前記底部に対し固定された固定保護体と、この固定保護体よりも後側で前記天井または前記底部に吊り下げられた可動警告体であり、
前記固定保護体の後端と前記可動警告体の後端との少なくとも一方に上下方向に延びた筒部が一体に設けられ、
前記可動警告体の筒部の後方に上下方向に延びた筒体が前記天井または前記底部に吊り下げられ、
前記筒体が前記カメラ収容筒であり、
前記可動警告体に設けられた前記筒部が前記配線筒であり、
前記電線部材は前記監視カメラに接続された状態で、前記カメラ収容筒の上端から出て前記天井または前記底部に沿わされ前記配線筒の上端から下端に抜けて前記外デッキボードに導かれた状態に配線された
ことを特徴とするエスカレータ監視装置。
【請求項５】
請求項３記載のエスカレータ監視装置において、
前記第２電線部材は、複数の電線が平面状に並列されてシート状に一体化された柔軟性配線シートである
ことを特徴とするエスカレータ監視装置。
【請求項６】
請求項１〜５のいずれか１項に記載のエスカレータ監視装置において、
前記配線筒の上端は前記天井または前記底部の近傍に位置し、前記配線筒の下端は上下方向において前記移動手摺と前記外デッキボードの間に位置する
ことを特徴とするエスカレータ監視装置。
【請求項７】
請求項３記載のエスカレータ監視装置において、
接続端子同士を接続・離反可能にするコネクタを有する
ことを特徴とするエスカレータ監視装置。
【請求項８】
請求項１〜７のいずれか１項に記載のエスカレータ監視装置において、
前記監視カメラの画角外に位置する前記カメラ収容筒の内壁面を覆って前記監視カメラへの不要な光の入射を低減する反射防止シートを有する
ことを特徴とするエスカレータ監視装置。
【請求項９】
請求項３記載のエスカレータ監視装置において、
前記第２電線部材は複数の電線が平面状に並列して設けられたシート部材であり、前記カメラ収容筒の内壁面を覆って前記監視カメラへの不要な光の入射を低減する反射防止シート部を有する
ことを特徴とするエスカレータ監視装置。
【請求項１０】
請求項３記載のエスカレータ監視装置において、
前記筒体の下端部と前記外デッキボードとの間に、前記筒体の前記天井または前記底部に対する振れを抑える振れ止め部材が張られ、
前記筒体の下端と前記外デッキボードとの間に位置する前記第３電線部材が前記振れ止め部材に固定されている
ことを特徴とするエスカレータ監視装置。
【請求項１１】
請求項１０記載のエスカレータ監視装置において、
前記第４電線部材の一端の接続端子が、前記筒体の下方に配置され、
前記第３電線部材の長さ寸法が、前記筒体の下端から前記第４電線部材の一端の接続端子までの距離よりも長く設定された
ことを特徴とするエスカレータ監視装置。
【請求項１２】
請求項１記載のエスカレータ監視装置に採用される設置方法であって、
前記天井または前記底部に前記監視カメラを取り付けるとともにモニタに試験的に接続し、前記監視カメラの上下方向および左右方向の画角を調整する工程と、
前記監視カメラと前記モニタとの試験的な接続を切断した後、前記天井または前記底部に取り付けられた前記監視カメラを収容させた状態で前記カメラ収容筒を前記天井または前記底部に取り付ける工程とを含む
ことを特徴とするエスカレータ監視装置の設置方法。
【請求項１３】
請求項３記載のエスカレータ監視装置に採用される設置方法であって、
前記天井または前記底部に前記監視カメラを取り付けるとともにモニタに試験的に接続し、前記監視カメラの上下方向および左右方向の画角を調整する工程と、
前記カメラ収容筒および前記配線筒を兼ねた前記筒体に前記第２電線部材のうちの少なくとも接続端子を除く部分を収容する工程と、
前記監視カメラと前記モニタとの試験的な接続を切断した後、前記第２電線部材のうちの少なくとも接続端子を除く部分が収容された前記筒体を、前記天井または前記底部に取り付けられた前記監視カメラを収容させた状態で前記天井または前記底部に取り付ける工程と、
前記筒体の前記天井または前記底部への取付けの後に、前記第１電線部材の他端の接続端子と前記第２電線部材の一端の接続端子とを接続する工程と、
前記筒体の前記天井または前記底部への取付けの後に、前記第２電線部材の他端の接続端子と前記第３電線部材の一端の接続端子とを接続する工程と、
前記筒体の前記天井または前記底部への取付けの後に、前記第３電線部材の他端の接続端子と前記第４電線部材の一端の接続端子とを接続する工程とを含む
ことを特徴とするエスカレータ監視装置の設置方法。
【発明の詳細な説明】
【技術分野】
【０００１】
本発明は、監視カメラによりエスカレータを監視するエスカレータ監視装置およびその設置方法に関する。
【背景技術】
【０００２】
建物にエスカレータが単独で設置されると、移動手摺と天井との間に狭角部（三角部）が形成されることになる。また、エスカレータの設置構造には、上下階床間に上りエスカレータと下りエスカレータとがその側面視において交差して併設されたものもある。この設置構造の場合には、エスカレータの移動手摺ともう一方のエスカレータの底部との間に狭角部が形成される。これらの狭角部には、乗客が挟まれることを防ぐための保護体が設けられるのが一般的である。
【０００３】
特許文献１に開示されたマンコンベアの安全装置においては、保護体としてのガード板の手前に、天井から筒状の検出体が吊り下げられている。この検出体の下端部は弾性体を介して欄干に繋がれている。上りエスカレータの乗客は保護体に接触する前に検出体に接触することによって、保護体に接触する前に狭角部の接近に気付くことができる。
【０００４】
特許文献２に開示されたエスカレータの監視装置は、下階床側で保護体としての狭角部保護板に対向して位置する建屋の柱に、乗客の状況を撮影可能に設けられた監視カメラと、狭角部保護板の揺れを検出するセンサとを備えている。そして、センサが狭角部保護板の揺れを検出した時点の前後所定時間内で監視カメラにより撮影された映像を記録するようになっている。これにより、狭角部近傍における乗客の転倒、転落、あるいは挟まれ事故の状況を保存することができる。
【０００５】
監視カメラを設ける従来の技術としては、特許文献３に開示されたものがある。この従来の技術においては、上下階床のそれぞれの乗場に設けられた誘導柵に、監視カメラが設けられている。この監視カメラは、誘導柵の支柱に収容され、その支柱に設けられた監視窓からエスカレータ側を覗いて撮影を行うようになっている。
【先行技術文献】
【特許文献】
【０００６】
【特許文献１】実開昭６１−１５４２７８号公報
【特許文献２】特開２００２−１１４４７５号公報
【特許文献３】特開２００６−２０６２８３号公報
【発明の概要】
【発明が解決しようとする課題】
【０００７】
特許文献２に開示されたエスカレータの監視装置において、監視カメラは、ガード板（保護体）の揺れを検出するセンサと、監視カメラが撮影した映像を表示するモニタ、その映像を記録する記録装置と電線で接続されている。電線の配線には、その電線の露出を抑えるために配線モールが用いられる。その配線モールは天井、梁、床などに設けられ、電線を覆う。天井、梁、床などに設けられた配線モールは建物の美観を損なわせる、という問題がある。さらに、建屋側の配線工事による設置費用が掛かるという問題もある。
【０００８】
監視カメラは、特許文献２に開示されているように建屋の柱に設置されるものの他、建屋の天井に設置されるもの、建屋の壁に設置されるものがある。このように建屋の構造部に監視カメラを設置しようとする場合、建屋が吹き抜け構造であること、壁面がガラス仕上げであること、天井が特殊仕上げであったることなどによって、監視カメラの設置個所が制限される、または監視カメラを設置できない、という問題が生じる。
【０００９】
特許文献３に開示された技術は、誘導柵の支柱を設けるために、建屋の床の掘削、支柱の床への固定、配線ダクトの床下への埋設等、建屋工事期間や費用が掛かるという問題がある。さらに、欄干よりも低い誘導柵の支柱に監視カメラを設けるため、下から覗かれているという不信感を乗客に与える虞もある。
【００１０】
本発明は前述の事情を考慮してなされたものであり、その目的は、エスカレータの乗客の状況を撮影する監視カメラを、下から覗かれているという不信感を乗客に与えず、かつ乗客の邪魔にならない位置に設けることができ、また、監視カメラに接続される電線の露出を容易に抑えることができるエスカレータ監視装置およびその設置方法を提供することにある。
【課題を解決するための手段】
【００１１】
前述の目的を達成するために、本発明は次のように構成されている。
【００１２】
〔１〕  本発明に係るエスカレータ監視装置は、下階の天井とエスカレータの移動手摺との間に形成された狭角部、または、交差した状態で隣接する２つのエスカレータのうちの一方のエスカレータの底部と、他方のエスカレータの移動手摺との間に形成された狭角部と、前記狭角部に設けられ前記エスカレータの上昇運転時に乗客が前記狭角部に挟まれるのを防止するための保護体とを有する建物に設けられるエスカレータ監視装置において、前記エスカレータおよび乗客を撮影する監視カメラと、前記監視カメラを外部装置に電気的に接続する電線部材と、前記エスカレータの上り方向を前方向とした場合の前記保護体の後端側に上下方向に延びた姿勢で設けられた筒体であって、前記監視カメラが収容されたカメラ収容筒と、前記エスカレータの上り方向を前方向とした場合の前記保護体の後端側に上下方向に延びた姿勢で設けられた筒体であって、前記電線部材の一部が収容された配線筒と、前記エスカレータの欄干の基部の外側に設けられ、前記電線部材の前記一部とは別の一部が収容される外デッキボードとを有し、前記電線部材は前記カメラ収容筒の下端から出されて前記外デッキボードの内側に導かれた状態に配線されたことを特徴とする。
【００１３】
この「〔１〕」に記載のエスカレータ監視装置においては、保護体の後端側で上下方向に延びたカメラ収容筒内に監視カメラが位置する。これにより、監視カメラの位置は下から覗かれているという不信感を乗客に与えず、かつ乗客の邪魔にならない。さらに、監視カメラに接続される電線の露出を配線筒により容易に抑えることができる。
【００１４】
〔２〕  本発明に係るエスカレータ監視装置は「〔１〕」記載のエスカレータ監視装置において、前記保護体が、前記天井または前記底部に対し固定された固定保護体と、この固定保護体よりも後側で前記天井または前記底部に吊り下げられた可動警告体であり、前記固定保護体の後端と前記可動警告体の後端との少なくとも一方に上下方向に延びた筒部が一体に設けられ、前記可動警告体の筒部の後方に上下方向に延びた筒体が前記天井または前記底部に吊り下げられ、前記筒体が前記カメラ収容筒と前記配線筒を兼ねるものであることを特徴とする。
【００１５】
この「〔２〕」に記載のエスカレータ監視装置によれば、監視カメラと外部装置との間の電線部材の配線を、配線モールを用いずに実現できる。
【００１６】
〔３〕  本発明に係るエスカレータ監視装置は「〔２〕」記載のエスカレータ監視装置において、前記電線部材は第１〜第４電線部材が一筋に接合されて構成された部分を有するものであり、前記第１電線部材は一端が前記監視カメラに接続され他端に接続端子を有するものであり、前記第２，第３電線部材は両端に接続端子を有するものであり、前記第４電線部材は一端に前記外デッキボードから露出して配置された接続端子を有し他端が直接または間接的に前記外部装置に接続されたものであり、前記第１電線部材の他端の接続端子と前記第２電線部材の一端の接続端子とが接続され、かつ前記第２電線部材の他端の接続端子と前記第３電線部材の一端の接続端子とが接続され、かつ前記第３電線部材の他端の接続端子と前記第４電線部材の一端の接続端子とが接続され、かつ前記第２電線部材のうちの少なくとも接続端子を除く部分は前記筒体に収容された状態であることを特徴とする。
【００１７】
この「〔３〕」に記載のエスカレータ監視装置によれば、「〔２〕」記載のエスカレータ監視装置における電線部材の配線を円滑に行うことができる。
【００１８】
〔４〕  本発明に係るエスカレータ監視装置は「〔１〕」記載のエスカレータ監視装置において、前記保護体が、前記天井または前記底部に対し固定された固定保護体と、この固定保護体よりも後側で前記天井または前記底部に吊り下げられた可動警告体であり、前記固定保護体の後端と前記可動警告体の後端との両方に上下方向に延びた筒部が一体に設けられ、前記可動警告体の筒部の後方に上下方向に延びた筒体が前記天井または前記底部に吊り下げられ、前記筒体が前記カメラ収容筒であり、前記可動警告体に設けられた前記筒部が前記配線筒であり、前記電線部材は前記監視カメラに接続された状態で、前記カメラ収容筒の上端から出て前記天井または前記底部に沿わされ前記配線筒の上端から下端に抜けて前記外デッキボードに導かれた状態に配線されたことを特徴とする。
【００１９】
この「〔４〕」に記載のエスカレータ監視装置によれば、天井または底部に電線部材が沿わされるものの、電線部材が沿わされる位置は、筒体（カメラ収容筒）と可動警告体の筒部（配線筒）との間の位置であるので、配線モールを目立たないように設けることができる。
【００２０】
〔５〕  本発明に係るエスカレータ監視装置は「〔３〕」記載のエスカレータ監視装置において、前記第２電線部材は、複数の電線が平面状に並列されてシート状に一体化された柔軟性配線シートであることを特徴とする。
【００２１】
この「〔５〕」に記載のエスカレータ監視装置によれば、監視カメラと筒体との間に第２電線部材を配置しやすくすることができる。
【００２２】
〔６〕  本発明に係るエスカレータ監視装置は「〔１〕」〜「〔５〕」のいずれか１項に記載のエスカレータ監視装置において、前記配線筒の上端は前記天井または前記底部の近傍に位置し、前記配線筒の下端は上下方向において前記移動手摺と前記外デッキボードの間に位置することを特徴とする。
【００２３】
この「〔６〕」に記載のエスカレータ監視装置によれば、天井または底部と移動手摺との間に位置する電線部材の部分の全体または略全体を配線筒により覆うことができ、かつ、配線筒の下端から出された電線部材の部分と乗客との間に欄干を隔てることができる。この結果、電線部材を悪戯による切断から守ることができる。
【００２４】
〔７〕  本発明に係るエスカレータ監視装置は「〔３〕」記載のエスカレータ監視装置において、接続端子同士を接続・離反可能にするコネクタを有することを特徴とする。
【００２５】
この「〔７〕」に記載のエスカレータ監視装置によれば、「〔３〕」に記載のエスカレータ監視装置に対しては、第１電線部材と第２電線部材との接続、第２電線部材と第３電線部材との接続、第３電線部材と第４電線部材との接続を容易に行うことができる。つまり、監視カメラと外部装置とを電気的に接続するための配線作業の効率を向上させることができる。
【００２６】
〔８〕  本発明に係るエスカレータ監視装置は「〔１〕」〜「〔７〕」のいずれか１項に記載のエスカレータ監視装置において、前記カメラ収容筒の内壁面を覆って前記監視カメラへの不要な光の入射を低減する反射防止シートを有することを特徴とする。
【００２７】
この「〔８〕」に記載のエスカレータ監視装置によれば、反射防止シートにより監視カメラへの不要な光の入射を低減できるので、監視カメラにより撮影される映像への光の写り込みを減少させることができる。
【００２８】
〔９〕  本発明に係るエスカレータ監視装置は「〔３〕」記載のエスカレータ監視装置において、前記第２電線部材は複数の電線が平面状に並列して設けられたシート部材であり、前記カメラ収容筒の内壁面を覆って前記監視カメラへの不要な光の入射を低減する反射防止シート部を有することを特徴とする。
【００２９】
この「〔９〕」に記載のエスカレータ監視装置によれば、第２電線部材がシート部材であるので、監視カメラと筒体の内壁面との間に第２電線部材を配置しやすい。また、第２電線部材と反射防止シートを別体にするよりも部品点数を削減できる。
【００３０】
〔１０〕  本発明に係るエスカレータ監視装置は「〔３〕」記載のエスカレータ監視装置において、前記筒体の下端部と前記外デッキボードとの間に、前記筒体の前記天井または前記底部に対する振れを抑える振れ止め部材が張られ、前記筒体の下端と前記外デッキボードとの間に位置する前記第３電線部材が前記振れ止め部材に固定されていることを特徴とする。
【００３１】
この「〔１０〕」に記載のエスカレータ監視装置によれば、カメラ収容筒である筒体の揺れを振れ止め部材が抑えるので、監視カメラにより撮影された映像のブレを抑えることができる。さらに、第３電線部材が振れ止め部材に固定されているので、第３電線部材と振れ止め部材とがまとまり美観の低下を抑えることができる。
【００３２】
〔１１〕  本発明に係るエスカレータ監視装置は「〔１０〕」記載のエスカレータ監視装置において、前記第４電線部材の一端の接続端子が、前記筒体の下方に配置され、前記第３電線部材の長さ寸法が、前記第２電線部材の他端の接続端子から第４電線部材の一端の接続端子までの距離よりも長く設定されたことを特徴とする。
【００３３】
この「〔１１〕」に記載のエスカレータ監視装置によれば、筒体が天井または底部に対して振れたときに第３電線部材をその振れに追従させて変形させることができ、筒体の揺れに伴って第３電線部材に作用する張力を低減できる。したがって、第１電線部材と第３電線部材との接続部における断線、第３電線部材と第４電線部材との接続部における断線などを防止することができる。
【００３４】
〔１２〕  本発明に係るエスカレータ監視装置の設置方法は、「〔１〕」記載のエスカレータ監視装置に採用される設置方法であって、前記天井または前記底部に前記監視カメラを取り付けるとともにモニタに試験的に接続し、前記監視カメラの上下方向および左右方向の画角を調整する工程と、前記監視カメラと前記モニタとの試験的な接続を切断した後、前記天井または前記底部に取り付けられた前記監視カメラを収容させた状態で前記カメラ収容筒を前記天井または前記底部に取り付ける工程とを含むことを特徴とする。
【００３５】
この「〔１２〕」に記載のエスカレータ監視装置の設置方法によれば、監視カメラの画角を調整した後にカメラ収容筒に収容するので、カメラ収容筒に監視カメラを収容してカメラ収容筒が嵩張った状態で画角を調整する場合よりも、監視カメラの画角調整を行いやすくすることができる。
【００３６】
〔１３〕  本発明に係るエスカレータ監視装置の設置方法は、「〔３〕」記載のエスカレータ監視装置に採用される設置方法であって、前記天井または前記底部に前記監視カメラを取り付けるとともにモニタに試験的に接続し、前記監視カメラの上下方向および左右方向の画角を調整する工程と、前記カメラ収容筒および前記配線筒を兼ねた前記筒体に前記第２電線部材のうちの少なくとも接続端子を除く部分を収容する工程と、前記監視カメラと前記モニタとの試験的な接続を切断した後、前記第２電線部材のうちの少なくとも接続端子を除く部分が収容された前記筒体を、前記天井または前記底部に取り付けられた前記監視カメラを収容させた状態で前記天井または前記底部に取り付ける工程と、前記筒体の前記天井または前記底部への取付けの後に、前記第１電線部材の他端の接続端子と前記第２電線部材の一端の接続端子とを接続する工程と、前記筒体の前記天井または前記底部への取付けの後に、前記第２電線部材の他端の接続端子と前記第３電線部材の一端の接続端子とを接続する工程と、前記筒体の前記天井または前記底部への取付けの後に、前記第３電線部材の他端の接続端子と前記第４電線部材の一端の接続端子とを接続する工程とを含むことを特徴とする。
【００３７】
この「〔１３〕」に記載のエスカレータ監視装置の設置方法によれば、「〔１３〕」に記載の設置方法と同様で、監視カメラの画角調整を行いやすくすることができる。
【００３８】
さらに、「〔１３〕」に記載のエスカレータ監視装置の設置方法においては、第２電線部材のうちの少なくとも接続端子を除く部分が収容された筒体を、天井または底部に取り付けられた監視カメラを収容させた状態で天井または底部に取り付ける工程の後、第１電線部材の他端の接続端子と第２電線部材の一端の接続端子とを接続する工程、第２電線部材の他端の接続端子と第３電線部材の一端の接続端子とを接続する工程、第３電線部材の他端の接続端子と第４電線部材の一端の接続端子とを接続する工程を行う。これにより、筒体を天井または底部に取り付けた後に第２電線部材を筒体に収容して第１電線部材と第３電線部材とに接続するよりも容易に第１〜第３電線部材の配線を行うことができる。
【発明の効果】
【００３９】
本発明に係るエスカレータ監視装置によれば、前述したように、監視カメラの位置は下から覗かれているという不信感を乗客に与えず、かつ乗客の邪魔にならない。さらに、監視カメラに接続される電線の露出を配線筒により容易に抑えることができる。
【図面の簡単な説明】
【００４０】
【図１】本発明に係るエスカレータであり、交差して設置された複数のエスカレータの側面図である。
【図２】本発明の第１実施形態に係るエスカレータ監視装置を、図１に示したエスカレータの設置構造に適用した場合におけるカメラ収容筒と配線筒とを兼ねる筒体を示す部分破断側面図である。
【図３】図２に示した筒体内の状態および筒体の釣下げ構造を示す図であり、（ａ）は筒体の部分断面図、（ｂ）は筒体の吊下げに用いられるベース部材およびリング部材の斜視図、（ｃ）は第２電線部材の斜視図を示す。
【図４】図３に示した第２電線部材が広げられた状態の拡大図である。
【図５】監視カメラの設置手順を示すフローチャート。
【図６】本発明に係るエスカレータであって建物に単独に設けられたエスカレータの側面図である。
【図７】本発明の第２実施形態に係るエスカレータ監視装置を、図６に示したエスカレータの設置構造に適用した場合における監視カメラの配置および電線部材の配線を示す側面図である。
【図８】本発明の第３実施形態に係るエスカレータ監視装置を、図６に示したエスカレータの設置構造に適用した場合における監視カメラの配置および配線を示す側面図である。
【発明を実施するための形態】
【００４１】
本発明の第１，第２実施形態に係るエスカレータ監視装置について次に説明する。
【００４２】
［第１実施形態］
はじめに、第１実施形態に係るエスカレータ監視装置およびその設置方法について図１〜図５を用いて説明する。
【００４３】
図１に示す３階建ての建物内において、１階床と２階床との間に設置された第１上りエスカレータ１Ａと、２階床と３階床との間に設置された第２上りエスカレータ１Ｂとは、第１上りエスカレータ１Ａの降り場と第２上りエスカレータ１Ｂの乗り場とが踊り場を形成し、側面視において屈曲形状を成すよう併設されている。これと同様に、１階床と２階床との間に設置された第１下りエスカレータ２Ａと、２階床と３階床との間に設置された第２下りエスカレータ２Ｂとは、第１下りエスカレータ２Ａの乗り場と第２下りエスカレータ２Ｂの降り場とが踊り場を形成し、側面視において第１上りエスカレータ１Ａと第２上りエスカレータ１Ｂの場合とは逆向きに屈曲形状を成すよう併設されている。建物内のスペースを有効に利用するため、第１上りエスカレータ１Ａと第２下りエスカレータ２Ｂは、上下方向において重なって配置されている。これと同様に第２上りエスカレータ１Ｂと第１下りエスカレータ２Ａも上下方向において重なって配置されている。
【００４４】
このように第１上りエスカレータ１Ａ、第２上りエスカレータ１Ｂ、第１下りエスカレータ２Ａおよび第２下りエスカレータ２Ｂが設置されているため、第１上りエスカレータ１Ａの移動手摺５と第１下りエスカレータ２Ａの底部２ａとの間、第１下りエスカレータ２Ａの移動手摺５と第１上りエスカレータ１Ａの底部２ａとの間、第１上りエスカレータ１Ａの移動手摺５と第２上りエスカレータ１Ｂの底部２ａとの間、第１下りエスカレータ２Ａの移動手摺５と第２下りエスカレータ２Ｂの底部２ａとの間、第２上りエスカレータ１Ｂの移動手摺５と第２下りエスカレータ２Ｂの底部２ａとの間、第２下りエスカレータ２Ｂの移動手摺５と第２上りエスカレータ１Ｂの底部２ａとの間のそれぞれには、狭角部７が形成されている。
【００４５】
第１上りエスカレータ１Ａは、１階床から２階床に架け渡されて第１上りエスカレータ１Ａの骨組みを成したフレーム３と、このフレーム３に無端状に移動可能に設けられた複数の踏段（図示してない）と、これらの踏段のうち乗客を運搬する踏段の軌道を挟んで対向して位置する１対の欄干４と、１対の欄干４のそれぞれを、その外側すなわち踏段の軌道側とは反対側から支持する外デッキボード６とを備えている。移動手摺５は、欄干４周りを無端状に移動するようになっている。フレーム３の内側には、図示してないが、モータと、このモータの出力を踏段および移動手摺５に伝達する伝達装置、モータを制御する制御盤などが設けられている。フレーム３は外デッキボード６などの板部材に覆われていて、これにより、前出のモータ、伝達装置および制御盤などを格納する格納部２が形成されている。格納部２の下面が第１上りエスカレータ１Ａの底部２ａである。
【００４６】
第２上りエスカレータ１Ｂ、第１下りエスカレータ２Ａおよび第２下りエスカレータ２Ｂも、第１上りエスカレータ１Ａと同様に構成されている。なお、第２上りエスカレータ１Ｂの底部２ａには、第１下りエスカレータ２Ａを照らす照明装置（図示していない）が設けられている。第２下りエスカレータ２Ｂの底部２ａには、第１上りエスカレータ１Ａを照らす照明装置（図示していない）が設けられている。それらの照明装置に電力を供給する電線部材（図示してない）は、その照明装置が設けられたエスカレータの格納部２内に配線されている。
【００４７】
全ての狭角部７には、乗客が挟まれるのを防ぐための保護体が設けられている。例えば、第１上りエスカレータ１Ａの移動手摺５と第１下りエスカレータ２Ａの底部２ａとによって形成された狭角部７には、その保護体として、第１下りエスカレータ２Ａの底部２ａに対し固定された台形状の板部材から成る固定保護体８が設けられている。さらに、第１上りエスカレータ１Ａの上り方向（矢印Ｕ方向）を前方向とした場合の固定保護体８の後側には、第１下りエスカレータ２Ａの底部２ａに吊り下げられた台形状の板部材から成る可動警告体９とが設けられている。この可動警告体９も保護体の一種である。固定保護体８および可動警告体９は互いに同一材質の部材、例えば透明アクリル製の部材である。固定保護体８および可動警告体９は外デッキボード６の上方に配置されている。
【００４８】
固定保護体８の後端と可動警告体９の後端との少なくとも一方、例えば可動警告体９のみに、上下方向に延びた透明アクリル製の筒部９ａが一体に設けられている。この筒部９ａは、可動警告体９の板厚寸法よりも大きな外径寸法Ｄの円筒状である。すなわち、乗客が可動警告体９に接触したときの衝撃を拡散しやすくすることで、乗客の可動警告体９への接触時の安全性を高めている。乗客は固定保護体８に接触する前に可動警告体９に接触することによって、固定保護体８に接触する前に狭角部７の接近に気付くことができる。
【００４９】
可動警告体９の筒部９ａの後方には、第１上りエスカレータ１Ａの乗り場１ａ周辺およびそこにいる乗客を撮影するための監視カメラ１１が配置されている。この監視カメラ１１は、第１下りエスカレータ２Ａの底部２ａに吊り下げられている。
【００５０】
可動警告体９の筒部９ａの後方には、上下方向に延びた筒体１０も配置されている。この筒体１０は、その上部内に監視カメラ１１を収容した状態で、第１下りエスカレータ２Ａの底部２ａに吊り下げられている。つまり、筒体１０は、監視カメラ１１を収容するカメラ収容筒として機能している。
【００５１】
監視カメラ１１には、電線部材２０が接続されている。この電線部材２０は監視カメラ１１への電力供給、および、監視カメラ１１外部への映像データの伝送などのためのものである。
【００５２】
電線部材２０の一部は筒体１０に収容された状態で配線されている。つまり、筒体１０は電線部材２０の一部を収容する配線筒としても機能している。
【００５３】
監視カメラ１１の電源、および、監視カメラ１１の映像データが伝送される外部装置としての映像記録装置２５は、格納部２内に設けられている。電線部材２０はそれら電源および映像記録装置２５に格納部２内で接続されている。なお、映像記録装置２５は建物の管理室に設けられることもあり、この場合、電線部材２０は管理室から格納部２まで引き回された電線部材を介して映像記録装置２５に接続されることになる。
【００５４】
電線部材２０は、第１電線部材２１、第２電線部材２２、第３電線部材２３および第４電線部材２４が一筋に接合されて構成された部分を有する。第１電線部材２１は一端が監視カメラ１１に接続され他端に接続端子を含む雄型コネクタ２１ａを有する。第２電線部材２２はその両端に接続端子を含む雌型コネクタ２１Ａ，２１ｂをそれぞれ有する。第３電線部材２３はその両端に接続端子を含む雄型コネクタ２３ｂ，２３ｃをそれぞれ有する。第４電線部材２４はその一端に接続端子を含む雌型コネクタ２４ｃを有し、その他端が直接または間接的に映像記録装置２５に接続されている。
【００５５】
第１電線部材２１の他端の接続端子と第２電線部材２２の一端の接続端子とは、雌型コネクタ２１Ａと雄型コネクタ２１ａとの結合によって接続されている。第２電線部材２２の他端の接続端子と第３電線部材２３の一端の接続端子とは、雌型コネクタ２２Ｂと雄型コネクタ２３ｂとの結合によって接続されている。第３電線部材２３の他端の接続端子と第４電線部材２４の一端の接続端子とは、雄型コネクタ２３ｃと雌型コネクタ２４ｃとの結合によって接続されている。雄型コネクタ２１ａ、雌型コネクタ２１Ａ、雌型コネクタ２２Ｂ、雄型コネクタ２３ｂ、雄型コネクタ２３ｃおよび雌型コネクタ２４ｃのそれぞれのハウジングは、絶縁材料（合成樹脂）の成形物である。雌型コネクタ２１Ａと雄型コネクタ２１ａとが結合した状態において、第１電線部材２１の他端の接続端子および第２電線部材２２の一端の接続端子は、雌型コネクタ２１Ａのハウジングと雄型コネクタ２１ａのハウジングとにより覆われて外部と電気的に絶縁された状態となる。雌型コネクタ２２Ｂと雄型コネクタ２３ｂとが結合した状態において、第２電線部材２２の他端の接続端子および第３電線部材２３の一端の接続端子は、雌型コネクタ２２Ｂのハウジングと雄型コネクタ２３ｂのハウジングとにより覆われて外部と電気的に絶縁された状態となる。雄型コネクタ２３ｃと雌型コネクタ２４ｃとが結合した状態において、第３電線部材２３の他端の接続端子および第４電線部材２４の一端の接続端子は、雄型コネクタ２３ｃのハウジングと雌型コネクタ２４ｃのハウジングとにより覆われて外部と電気的に絶縁された状態となる。
【００５６】
電線部材２０の一部は筒体１０に収容されていることは既に述べた。その一部とは主に第２電線部材２２である。
【００５７】
第４電線部材２４は、雌型コネクタ２４ｃが外デッキボード６から露出した状態で、残りの部分が格納部２内に位置するよう配線されている。
【００５８】
また、固定保護体８の下縁、可動警告体９の下縁、筒部９ａの下端および筒体１０の下端は全て、移動手摺５よりも下方に位置する。特に、筒部９ａの下端および筒体１０の下端は、移動手摺５よりも２００ｍｍ以上下方に位置する。
【００５９】
図２，図３に示すように、監視カメラ１１は、円筒状のケース１１ａと、このケース１１ａから突出して設けられたレンズ（図示していない）と、このレンズを覆うドーム型のカバー１１ｂとを有する。この監視カメラ１１は、ケース１１ａが上側に位置しカバー１１ｂが下側に位置するよう第１下りエスカレータ２Ａの底部２ａに吊り下げられている。監視カメラ１１のレンズの画角αは、１階床の乗り場１ａ周辺および狭角部７が撮影範囲として含まれるよう設定されている。
【００６０】
監視カメラ１１が第１下りエスカレータ２Ａの底部２ａに吊り下げられた状態において、ケース１１ａの上面から第１電線部材２１が延びている。また、ケース１１ａの上面には、上方向に突出して、ケース１１ａの径方向に並んだ吊り部１２，１３が設けられている。これら吊り部１２の上端部、吊り部１３の上端部には、ケース１１ａの径方向に貫通した吊り部１２ａ，１３ａがそれぞれ形成されている。吊り部１２ａの位置と吊り部１３ａの位置は、第１下りエスカレータ２Ａの底部２ａの傾斜角度に対応するよう高さが異なっている。これら吊り孔１２ａ，１３ａのそれぞれにはリング部材１４，１５のそれぞれが挿通されている。第１下りエスカレータ２Ａの底部２ａには板状のベース部材１６がネジ止めされている。このベース部材１６には環状支持部１６ａ，１６ｂが形成されている。これら環状支持部１６ａ，１６ｂのそれぞれにもリング部材１４，１５がそれぞれ挿通されている。つまり、監視カメラ１１は吊り部１２，１３、リング部材１４，１５、ベース部材１６を介して第１下りエスカレータ２Ａの底部２ａに吊り下げられている。
【００６１】
このようにして第１下りエスカレータ２Ａの底部２ａに吊り下げられた監視カメラ１１は、筒体１０に収容されている。この筒体１０は、その上端部において吊り部１２にネジ１７によって締結されている。吊り部１３に対してもネジ１８によって締結されている。つまり、筒体１０は、吊り部１２，１３、リング部材１４，１５、ベース部材１６を介して第１下りエスカレータ２Ａの底部２ａに吊り下げられている。
【００６２】
第２電線部材２２は、平面状に並列した複数の電線の筋２２ｃ１（太い破線でまとめて示した）がフレキシブル基板上にプリント成形されたフレキシブル配線基板２２ｃと、それら複数の電線の筋２２ｃ１の両端のそれぞれに設けられた雌型コネクタ２１Ａ，２１Ｂとを有する。複数の電線において、各電線の断面積、および、隣接する電線間の距離は、第１電線部材２１および第３電線部材２３の特性インピーダンスと合致するように設定されている。
【００６３】
図３に示すように、筒体１０の下端から内部には、建物の照明の光Ｃが入射される。光Ｃの入射角βが臨海角より大きい角度であると全反射が発生する。全反射した光Ｃは筒体１０の内壁面での反射を繰り返しながら監視カメラ１１の方向に進み、監視カメラ１１の画角α内に入る。この結果、映像に光が入り込む現象、いわゆる写り込みが発生する。
【００６４】
その写り込みの対策として、第２電線部材２２の寸法・形状は、筒体１０の内壁面を覆って監視カメラ１１への不要な光Ｃの入射を低減する反射防止シートとして機能するよう設定されている。つまり、第２電線部材２２は反射防止シート部２２ｄを有する。この反射防止シート部２２ｄは、上下方向の長さ寸法は、監視カメラ１１のケース１１ａの上端から筒体１０の下端までの長さ寸法よりも若干短い長さ寸法Ｌａに設定されている。反射防止シート部２２ｄの幅寸法は筒体１０の内周の略半周分と略同じ寸法に設定されている。
【００６５】
また、第２電線部材２２はさらに目隠し部２２ｅを有する。この目隠し部２２ｅの上下方向の長さ寸法は、筒体１０内に位置する吊り部１２，１３の部分全体を覆い隠すことができる長さ寸法Ｌｂに設定されている。第２電線部材２２の上下方向の長さ寸法Ｌは、反射防止シート部２２ｄの長さ寸法Ｌａと目隠し部２２ｅの長さ寸法Ｌｂとを合計したものに設定されている。目隠し部２２ｅの幅寸法Ｗは、筒体１０の内周と略同寸法に設定されている。
【００６６】
反射防止シート部２２ｄの幅方向において、目隠し部２２ｅと反射防止シート部２２ｄとの結合部は電線の筋２２ｃ１側に偏った位置に設定されているため、図４に示すように第２電線部材２２の形状はＬ字状を成しているが、反射防止シート部２２ｄと目隠し部２２ｅの結合部が幅方向において目隠し部２２ｅの中央に設定されてＴ字状に成していてもよい。
【００６７】
第２電線部材２２は、目隠し部２２ｅ側の縁の高さ位置が筒体１０の上端の高さ位置に略一致した状態で筒体１０に収容されている。反射防止シート部２２ｄは、筒体１０に収容された状態において、監視カメラ１１の画角α外に位置する筒体１０の内壁面のうち画角α側とは反対側で、内壁面に沿って反射防止シート部２２ｄは半円筒状を成した状態で、筒体１０の略半周に亘る領域を覆っている。
【００６８】
半円筒の内周面である反射防止シート部２２ｄの一方の面は、明度の低い色、例えば黒色である。反射防止シート部２２ｄに対する黒色の着色は、シート部材に黒色のシート状のシールを貼付けることによって実現してもよいし、黒色の塗料を塗布して実現してもよい。
【００６９】
反射防止シート部２２ｄの他方の面には、カメラ作動中であること、および、狭角部７への乗りだしの注意の喚起する文章、イラストおよびマークの少なくとも１つが、印刷またはシールの貼付けにより設けられている。これらの文章、イラストおよびマークなどではなく、単なる色柄のみが施されていてもよい。
【００７０】
図４に示すように、第２電線部材２２の目隠し部２２ｅには複数例えば３つの第１留め孔２２ｆ〜２２ｈと、これらの第１留め孔２２ｆ〜２２ｈと同数、すなわち３つの第２留め孔２２ｉ〜２２ｋが設けられている。筒体１０に収容された目隠し部２２ｅの状態は、電線の筋２２ｃ１側の一端とその反対側の他端とが当接して円筒状を成した状態である。この状態では、第１留め孔２２ｆと第２留め孔２２ｉとが径方向において対向して位置し、第１留め孔２２ｇと第２留め孔２２ｊとが径方向において対向して位置し、第１留め孔２２ｈと第２留め孔２２ｋとが径方向において対向して位置する。３つの第１留め孔２２ｆ〜２２ｈのうちの１つには、筒体１０を吊り部１２に締結するネジ１７が挿通されている。これと同様に、ネジ１７が挿通された第１留め孔２２ｆ、２２ｇまたは２２ｈに対向して位置する第２留め孔２２ｉ，２２ｊまたは２２ｋには、筒体１０を吊り部１３に締結しているネジ１８が挿通されている。なお、図３では、第１留め孔２２ｆ〜２２ｈおよび第２留め孔２２ｉ〜２２ｋの図示を省略してある。
【００７１】
筒体１０の下端部と外デッキボード６との間には、第１下りエスカレータ２Ａの底部２ａに対する筒体１０の振れを抑える振れ止め部材として、振れ止めワイヤ３０が張られている。筒体１０の下端部には、筒体１０内に径方向に架け渡された第１取付棒３１と、この第１取付棒３１の上方で、この第１取付棒３１と十字状に交差した状態で筒体１０内に径方向に架け渡された第２取付棒（図示してない）とが設けられている。第１取付棒３１の一端には筒体１０の外周側からネジ３２が螺合している。第１取付棒３１の他端にも筒体１０の外周側からネジ３３が螺合している。ネジ３２，３３のそれぞれの頭部の両方により第１取付棒３１の筒体１０に対する径方向の移動が規制されて、第１取付棒３１は筒体１０に対し抜け止めされている。これと同様にして第２取付棒も筒体１０に対し抜け止めされている。３４は第２取付棒の抜け止めのための一方のネジである。
【００７２】
振れ止めワイヤ３０に設けられた第１環状部３０ａに第１取付棒３１と第２取付棒との両方が挿通された状態になっていることによって、振れ止めワイヤ３０の一端が第１取付棒３１と第２取付棒との交差部３５に保持されている。筒体１０の下方に位置する外デッキボード６の部分には、取付部材３６が設けられている。この取付部材３６には挿通孔３６ａが設けられている。振れ止めワイヤ３０の他端には、挿通孔３６ａに挿通された第２環状部３０ｂが設けられていることより、外デッキボード６に結合している。なお、振れ止め部材はワイヤではなくチェーンであってもよい。
【００７３】
第３電線部材２３のうち、筒体１０の下端と外デッキボード６との間に位置する部分は、バインド線４０，４１により振れ止めワイヤ３０に留められている。第３電線部材２３の長さ寸法は、第２電線部材２２の雌型コネクタ２２Ｂから第４電線部材２４の雌型コネクタ２２Ｂまでの距離よりも長く設定されている。
【００７４】
次に、第１実施形態に係るエスカレータ監視装置の設置方法について、図５用いて説明する。
【００７５】
まず、第１の工程Ｓ１として、監視カメラ１１のエスカレータの底部２ａへの取付作業と、この監視カメラ１１の画角αの調整作業とを行う。監視カメラ１１の取付作業では、はじめに、ベース部材１６を第１下りエスカレータ２Ａの底部２ａにネジ止めする。次に、リング部材１４，１５によりベース部材１６の吊り部１２，１３に監視カメラ１１を吊り下げる。これで監視カメラ１１の取付作業は終了である。そして、監視カメラ１１の画角αの調整作業では、はじめに第１電線部材２１の雄型コネクタ２１ａを、試験用ケーブル（図示してない）を介してモニタ（図示してない）に接続する。そのモニタで監視カメラ１１が撮影した映像を確認しながら、監視カメラ１１の上下方向および左右方向の画角αの調整を行う。画角αの調整が終了したら、試験用ケーブルを第１電線部材２１の雄型コネクタ２１ａから外す。
【００７６】
次に第２の工程Ｓ２として、筒体１０の第１下りエスカレータ２Ａの底部２ａに対する吊下げ作業を行う。この吊下げ作業では、はじめに、第２電線部材２２を筒体１０に収容する。このとき、目隠し部２２ｅの形状を円筒状にし、反射防止シート部２２ｄの形状を半円筒状にする。次に、第２電線部材２２が収容された筒体１０を、監視カメラ１１を収容させさがら第１下りエスカレータ２Ａの底部２ａの近傍に配置し、この状態を保持して吊り部１２に筒体１０の上端部をネジ１７で締結する。吊り部１３にも筒体１０の上端部をネジ１８で締結する。このとき、目隠し部２２ｅを筒体１０の内壁面と吊り部１２の間に配置して目隠し部２２ｅの第１留め孔２２ｆ、２２ｇまたは２２ｈにネジ１７を挿通する。これと同様にして、ネジ１７が挿通された第１留め孔２２ｆ、２２ｇまたは２２ｈに対向して位置する第２留め孔２２ｉ，２２ｊまたは２２ｋにもネジ１８を挿通する。
【００７７】
次に、第３の工程Ｓ３として、第１電線部材２１の雄型コネクタ２１ａと第２電線部材２２の雌型コネクタ２１Ａと結合させる。
【００７８】
次に、第４の工程Ｓ４として、振れ止めワイヤ３０の筒体１０への取付作業を行う。この取付作業では、はじめに、筒体１０の下端部に第１取付棒３１と第２取付棒とを十字状に交差させて配置し、第１取付棒３１をネジ３２，３３で筒体１０に取り付け、第２取付棒をネジ３４等で筒体１０に取り付ける。次に、振れ止めワイヤ３０の一端に、第１取付棒３１と第２取付棒との両方が挿通された状態となるよう第１環状部３０ａを設ける。次に、振れ止めワイヤ３０の他端を、外デッキボード６に設けられた取付部材３６の挿通孔３６ａに挿通した後に、振れ止めワイヤ３０が交差部３５と挿通孔３６ａとの間で張った状態に維持されるよう第２環状部３０ｂを設ける。
【００７９】
次に、第５の工程Ｓ５として、雄型コネクタ２３ｂを雌型コネクタ２２Ｂに結合させることにより第３電線部材２３を第２電線部材２２に、接続する。
【００８０】
次に、第６の工程Ｓ６として、雄型コネクタ２３ｃを雌型コネクタ２４ｃに結合させることにより第３電線部材２３を第４電線部材２４に、接続する。
【００８１】
最後に、第７の工程Ｓ７として、振れ止めワイヤ３０に第３電線部材２３をバインド線４０，４１により留める。
【００８２】
第１実施形態によれば次の効果を得られる。
【００８３】
第１実施形態に係るエスカレータ監視装置においては、保護体としての固定保護体８および可動警告体９の後端側で上下方向に延びた筒体１０内に監視カメラ１１が位置する。これにより、監視カメラ１１の位置は下から覗かれているという不信感を乗客に与えず、かつ乗客の邪魔にならない。さらに、監視カメラ１１に接続される電線部材２０の露出を筒体１０により容易に抑えることができる。
【００８４】
第１実施形態に係るエスカレータ監視装置において、カメラ収容筒である筒体１０は可動警告体９と並んで設けられているので、監視カメラ１１を設置するために特別に設けられたという違和感を与えにくくすることができる。
【００８５】
第１実施形態に係るエスカレータ監視装置において、筒体１０はカメラ収容筒と配線筒を兼ね、電線部材２０は筒体１０の下端から外デッキボード６の内側、すなわち格納部２内に配線されている。これにより、電線部材２０の配線を、底部２ａ、建物の柱、天井などに配線しなくて済ませることができる。つまり、監視カメラ１１と映像記録装置２５とを接続する電線部材２０の配線を配線モールを用いずに実現でき、また、電線部材２０の配線作業に足場を組む必要がない。したがってエスカレータ監視装置の設置を短時間で行うことができ、また、設置に要する費用も低減できる。
【００８６】
第１実施形態に係るエスカレータ監視装置において、電線部材２０は第１電線部材２１，第２電線部材２２、第３電線部材２３および第４電線部材２４が一筋に接合されて構成された部分を有するので、電線部材２０の配線を円滑に行うことができる。
【００８７】
第１実施形態に係るエスカレータ監視装置において、第２電線部材２２はフレキシブル配線板である、すなわちシート状である。これにより、監視カメラ１１と筒体１０の内壁面との隙間に第２電線部材２２を配置しやすい。
【００８８】
第１実施形態に係るエスカレータ監視装置においては、反射防止シート部２２ｄが監視カメラ１１への不要な光Ｃの入射を低減する。これにより、監視カメラ１１により撮影された映像への光の写り込みを減少させることができる。
【００８９】
第１実施形態に係るエスカレータ監視装置において、第２電線部材２２は反射防止シート部２２ｄを有する。これにより、第２電線部材とは別に反射防止シートを用いるよりも部品点数を削減できる。
【００９０】
第１実施形態に係るエスカレータ監視装置において、筒体１０は配線筒として機能し、その上端は上方のエスカレータの底部２ａの近傍に位置し、その下端は上下方向において移動手摺５と外デッキボード６の間に位置する。これにより、底部２ａと移動手摺５との間に位置する電線部材２０の部分の全体または略全体を筒体１０により覆うことができ、かつ、筒体１０の下端から出された電線部材２０の部分と乗客との間に欄干４を隔てることができる。この結果、電線部材２０を悪戯による切断から守ることができる。
【００９１】
第１実施形態に係るエスカレータ監視装置において、第１電線部材２１と第２電線部材２２との接続、第２電線部材２２と第３電線部材２３との接続、第３電線部材２３と第４電線部材との接続とに、接続端子同士を接続・離反可能にするコネクタ、すなわち雄型コネクタ２１ａ、雌型コネクタ２１Ａ、雌型コネクタ２２Ｂ、雄型コネクタ２３ｂ、雄型コネクタ２３ｃおよび雌型コネクタ２４ｃが用いられているので、それらの接続を容易に行うことができ、監視カメラ１１と電源および映像記録装置２５など、監視カメラ１１の設置に係る配線作業の効率を向上させることができる。
【００９２】
第１実施形態に係るエスカレータ監視装置によれば、筒体１０の揺れを振れ止めワイヤ３０が抑えるので、監視カメラ１１により撮影された映像のブレを抑えることができる。
【００９３】
第１実施形態に係るエスカレータ監視装置によれば、振れ止めワイヤ３０の一端に設けられた第１環状部３０ａが、第１取付棒と第２取付棒との交差部３５に保持されるので、筒体１０の姿勢を筒体１０の軸方向が鉛直方向に一致する姿勢に保持されやすく、筒体１０が傾斜して監視カメラ１１の姿勢が変わることを防止できる。
【００９４】
第１実施形態に係るエスカレータ監視装置において、第３電線部材２３は振れ止めワイヤ３０に留められているので、第３電線部材２３と振れ止めワイヤ３０がまとまり、第３電線部材２３の配線による美観の低下を抑えることができる。
【００９５】
第１実施形態に係るエスカレータ監視装置においては、第４電線部材２４の一端の接続端子を含む雌型コネクタ２４ｃが筒体１０の下方に配置され、第３電線部材２３の長さ寸法が、第２電線部材２２の他端の雌型コネクタ２２Ｂから第４電線部材２４の一端の雌型コネクタ２４ｃまでの距離よりも長く設定されている。これにより、筒体１０が揺れたときに第３電線部材２３をその揺れに追従させて変形させることができ、筒体１０の揺れに伴って第３電線部材２３に作用する張力を低減できる。したがって、第１電線部材２１と第３電線部材２３との接続部における断線、第３電線部材２３と第４電線部材２４との接続部における断線などを防止することができる。
【００９６】
また、第１実施形態に係るエスカレータ監視装置の設置方法においては、監視カメラ１１の画角αを調整した後に筒体１０に監視カメラ１１を収容するので、筒体１０に監視カメラ１１を収容して筒体１０が嵩張った状態で画角αを調整する場合よりも、監視カメラ１１の画角αの調整を行いやすくすることができる。
【００９７】
第１実施形態に係るエスカレータ監視装置の設置方法においては、第２電線部材２２が収容された筒体１０を、底部２ａに取り付けられた監視カメラ１１を収容させた状態で底部２ａに吊下げる第２の工程Ｓ２の後、第１電線部材２１と第２電線部材２２とを接続する第３の工程Ｓ３、第２電線部材２２と第３電線部材２３とを接続する第５の工程Ｓ５、第３電線部材２３と第４電線部材２４とを接続する第６の工程Ｓ６を行う。これにより、筒体１０を底部２ａに取り付けた後に第２電線部材２２を筒体１０に収容して第１電線部材２１と第３電線部材２３とに接続するよりも容易に第１電線部材２１、第２電線部材２２および第３電線部材２３の配線を行うことができる。
【００９８】
なお、第１実施形態に係るエスカレータ監視装置においては、筒体１０がカメラ収容筒と配線筒との両方を兼ねていたが、本発明はそれに限定されるものではない。筒体１０が設けられていず、可動警告体９の筒部９ａがカメラ収容筒と配線筒との両方を兼ねていてもよい。また、筒体１０に加えて可動警告体９も設けられていず、固定保護体８に筒部が設けられていて、この筒体がカメラ収容筒と配線筒との両方を兼ねたものでもよい。また、筒体１０がカメラ収容筒として機能し、可動警告体９の筒部９ａが配線筒として機能するものでもよい。
【００９９】
第１実施形態に係るエスカレータ監視装置においては、第１電線部材２１と第２電線部材２２との接続、第２電線部材２２と第３電線部材２３との接続、第３電線部材２３と第４電線部材２４との接続に、雄型コネクタ２１ａと雌型コネクタ２１Ａ、雌型コネクタ２２Ｂと雄型コネクタ２３ｂ、および、雄型コネクタ２３ｃと雌型コネクタ２４ｃがそれぞれ用いられたが、本発明はそれらの接続にコネクタを用いるものに限定されるものではなく、螺子や半田により接続を行って外部との電気的絶縁を確保してもよい。
【０１００】
第１実施形態に係るエスカレータ監視装置においては、第２電線部材２２が反射防止シート部２２ｄを有するが、本発明はそれに限られるものではない。第２電線部材２２と同様の形状・寸法の反射防止シートの一方または他方の面に、その反射防止シートと別体のフレキシブル配線板から成るシート状の第２電線部材が貼り付けられたものでもよい。また、第２電線部材は複数の電線が平面状に並列されてシート状に一体化された柔軟性配線シートであればよく、したがってフレキシブル配線板の替わりに隙間ケーブルであってもよい。監視カメラと筒体との隙間が十分に大きな場合には、第２電線部材は柔軟性シート配線板である必要はない。この場合には、同軸ケーブル、フラットケーブルまたはヒューダー線であればよい。
【０１０１】
［第２実施形態］
次に第２実施形態に係るエスカレータ監視装置について図６，図７を用いて説明する。図６，図７に示すもののうち図１，図２に示したものと同等のものに対しては、それら図１，図２に示したものに付した符号と同じ符号を付してある。
【０１０２】
図６に示す建物内には、１階床から２階床に乗客を搬送する上りエスカレータ５０が単独に設けられている。この上りエスカレータ５０の移動手摺５と１階の天井５１との間には、狭角部５２が形成されている。この狭角部５２にも、図７に示すように、固定保護体８、可動警告体９および筒体１０が設けられている。ただし、固定保護体８には可動警告体９と同様の筒部５３が設けられている。
【０１０３】
第２実施形態に係るエスカレータ監視装置においては、第１実施形態に係るエスカレータ監視装置とは異なり、筒体１０はカメラ収容筒としてのみ機能し、可動警告体９の筒部９ａが配線筒として機能する。
【０１０４】
筒体１０内には、監視カメラ１１が収容されている。筒体１０内において、監視カメラ１１の画角αと反対側に位置する内壁面には、画角α側の反対側で筒体１０の半周分の領域の略全体を覆うことができるように、反射防止シート５４が配置されている。
【０１０５】
図７中の６０は、監視カメラ１１と映像記録装置２５とを接続するための電線部材である。この電線部材６０は、監視カメラ１１に接続された状態で、筒体１０の上端から出て天井５１に沿わされ可動警告体９の筒部９ａの上端から下端に抜けて外デッキボード６に導かれた状態に配線された第１電線部材６１と、この第１電線部材６１が接続される第２電線部材６２とを有する。第１電線部材６１の監視カメラ１１とは反対側の端部には接続端子を含む雄型コネクタ６１ａ（第１実施形態における雄型コネクタ２３ｃと同様のもの）が設けられている。第２電線部材６２の一端には接続端子を含む雌型コネクタ６２ａ（第１実施形態における雌型コネクタ２３ｃと同様のもの）が設けられ、他端は映像記録装置２５に直接または間接的に接続されている。第２電線部材６２は、第１実施形態における第４電線部材２４と同様のものである。
【０１０６】
筒体１０の上端と筒部９ａの上端との間に位置する天井５１の部分には、配線モール６３が設けられている。この配線モール６３は、第１電線部材６１のうちの天井５１に沿わされる部分を覆っている。
【０１０７】
天井５１には、可動警告体９を吊り下げるためのベース部材７０がネジ止めされている。このベース部材７０はベース部材１６（図２，図３参照）と同様の構造である。このベース部材７０と外デッキボード６との間には、振れ止めワイヤ７１が可動警告体９の筒部９ａに挿通された状態で張られている。振れ止めワイヤ７１の上端部はベース部材７０の後側の環状支持部（図示してない）に留められ、振れ止めワイヤ７１の下端部は外デッキボード６に設けられた取付部材７２（取付部材３６と同様のもの）に留められている。この振れ止めワイヤ７１により可動警告体９の天井５１に対する揺れが抑制される。
【０１０８】
可動警告体９の筒部９ａの下端と、外デッキボード６との間に位置する第１電線部材６１の部分は、バインド線８０，８１により振れ止めワイヤ７１に留められている。
【０１０９】
第２実施形態によれば次の効果を得られる。
【０１１０】
第２実施形態に係るエスカレータ監視装置においても第１実施形態に係るエスカレータ監視装置と同様に、保護体としての固定保護体８および可動警告体９の後端側で上下方向に延びた筒体１０内に監視カメラ１１が位置する。これにより、監視カメラ１１の位置は下から覗かれているという不信感を乗客に与えず、かつ乗客の邪魔にならない。
【０１１１】
第２実施形態に係るエスカレータ監視装置は、監視カメラ１１に接続される電線部材６０の露出を、可動警告体９の筒部９ａにより容易に抑えることができる。
【０１１２】
第２実施形態に係るエスカレータ監視装置においては、カメラ収容筒としての筒体１０とは別個の可動警告体９の筒部９ａに電線部材６０を挿通するので、第１実施形態に係るエスカレータ監視装置における電線部材２０のようにシート状の部分（第２電線部材２２）が設けられていなくても電線部材６０を配線することができる。
【０１１３】
第２実施形態に係るエスカレータ監視装置において、配線筒としての筒部９ａの上端は１階の天井５１の近傍に位置し、下端は上下方向において移動手摺５と外デッキボード６の間に位置する。これにより、天井５１と移動手摺５との間に位置する電線部材６０の部分の略全体を筒部９ａにより覆うことができ、かつ、筒部９ａの下端から出された電線部材６０の部分と乗客との間に欄干４を隔てることができる。この結果、電線部材６０を悪戯による切断から守ることができる。
【０１１４】
第２実施形態に係るエスカレータ監視装置においては、反射防止シート５４が監視カメラ１１への不要な光の入射を低減するので、監視カメラ１１により撮影された映像への光の写り込みを減少させることができる。
【０１１５】
第２実施形態に係るエスカレータ監視装置においては、筒部９ａの下端と外デッキボード６との間で第１電線部材６１が振れ止めワイヤ７１に留められている。これにより、電線部材６０と振れ止めワイヤ３０がまとまり、第１電線部材６１の配線による美観の低下を抑えることができる。
【０１１６】
第２実施形態に係るエスカレータ監視装置においては、天井５１に電線部材６０が沿わされるものの、電線部材６０が沿わされる天井５１の位置は、筒体１０（カメラ収容筒）と可動警告体９の上端の筒部９ａ（配線筒）との間の位置である。これにより、配線モール６３を目立たないように用いることができる。
【０１１７】
なお、第２実施形態に係るエスカレータ監視装置は、移動手摺５と天井５１との間に形成された狭角部５２に適用されたものであるが、第１実施形態に係るエスカレータ監視装置のように移動手摺５と底部２ａとの間に形成された狭角部７に適用されてもよい。
【０１１８】
［第３実施形態］
次に第３実施形態に係るエスカレータ監視装置について図８を用いて説明する。図８に示すもののうち図１，図２，図７に示したものと同等のものに対しては、それら図１，図２，図７に示したものに付した符号と同じ符号を付してある。
【０１１９】
第３実施形態に係るエスカレータ監視装置は、筒体１０を有さず、可動警告体９の筒部９ａがカメラ収容筒と配線筒を兼ねている。
【０１２０】
可動警告体９は、略台形状の板部材から成り可動警告体９の本体を形成している台形板部９０と、筒状の部材から成る筒部９ａとが結合したものである。その結合構造を次に説明する。
【０１２１】
台形板部９０の下底（図中の左側の辺）のうちの下側の略半分の部分には、後方向（図の左方向）に突出して上下方向に延びた突出部９０ａが形成されている。筒部９ａの下側の略半分の部分には、上下方向に延びた溝部（図示してない）が形成されている。この溝部に突出部９０ａが挿入された状態で、台形板部９０と筒部９ａとが接着されている。
【０１２２】
筒部９ａ内において、台形板部９０の突出部９０ａよりも上側の領域には、第１実施形態における反射防止シート部２２ｄと同様に反射防止シート部を含む第２電線部材２２が配置されている。第３電線部材２３は第２電線部材２２と、突出部９０ａの上端付近で結合して、突出部９０ａと筒部９ａの内壁面の間を通じて外デッキボード６まで延びている。
【０１２３】
ベース部材１００は、第２実施形態におけるベース部材７０と異なり、筒部９ａの上方の位置に環状支持部１０１を有する。監視カメラ１１には吊り部（図示してない）が１つだけ設けられている。監視カメラ１１はその吊り部とリング部材１０２とを介して環状支持部１０１に吊り下げられている。
【０１２４】
第３実施形態によれば次の効果が得られる。
【０１２５】
第３実施形態に係るエスカレータ監視装置において保護体としての可動警告体９に設けられた筒部９ａ内に監視カメラ１１が位置する。これにより、監視カメラ１１の位置は下から覗かれているという不信感を乗客に与えず、かつ乗客の邪魔にならない。さらに、監視カメラ１１に接続される電線部材２０の露出を筒部９ａにより容易に抑えることができる。
【０１２６】
第３実施形態に係るエスカレータ監視装置は、筒体１０を有さないので、第１，第２実施形態に係るエスカレータ監視装置よりも部品点数を少なくすることができる。
【０１２７】
なお、第３実施形態に係るエスカレータ監視装置は、移動手摺５と天井５１との間に形成された狭角部５２に適用されたものであるが、第１実施形態に係るエスカレータ監視装置のように移動手摺５と底部２ａとの間に形成された狭角部７に適用されてもよい。
【０１２８】
第３実施形態に係るエスカレータ監視装置のように、狭角部７における挟まれ事故を防止するためには固定保護体８の後側に可動警告体９が設けられていることが好ましいが、狭角部７に可動警告体９を設けない場合には、固定保護体８に設けられた筒部５３を、可動警告体９の筒部９ａの替わりに、カメラ収容筒および配線筒として機能させてもよい。
【符号の説明】
【０１２９】
１Ａ  第１上りエスカレータ
１ａ  乗り場
１Ｂ  第２上りエスカレータ
２Ａ  第１下りエスカレータ
２Ｂ  第２下りエスカレータ
２  格納部
２ａ  底部
３  フレーム
４  欄干
５  移動手摺
６  外デッキボード
７  狭角部
８  固定保護体（保護体）
９  可動警告体（保護体）
９ａ  筒部
１０  筒体
１１  監視カメラ
１１ａ  ケース
１１ｂ  カバー
１２，１３  吊り部
１２ａ，１３ａ  吊り孔
１４，１５  リング部材
１６  ベース部材
１６ａ，１６ｂ  環状支持部
１７，１８  ネジ
２０  電線部材
２１  第１電線部材
２１ａ  雄型コネクタ
２２  第２電線部材
２２ａ  雌型コネクタ
２２ｂ  雌型コネクタ
２２ｃ  フレキシブル配線板
２２ｃ１  筋
２２ｄ  反射防止シート部
２２ｅ  目隠し部
２２ｆ〜２２ｈ  第１留め孔
２２ｉ〜２２ｋ  第２留め孔
２３  第３電線部材
２３ｂ  雄型コネクタ
２３ｃ  雄型コネクタ
２４  第４電線部材
２４ｃ  雌型コネクタ
２５  映像記録装置
３０  振れ止めワイヤ（振れ止め部材）
３０ａ  第１環状部
３０ｂ  第２環状部
３１  第１取付棒
３２，３３  ネジ
３４  ネジ
３５  交差部
３６  取付部材
３６ａ  挿通孔
４０，４１  バインド線
５０  上りエスカレータ
５１  天井
５２  狭角部
５３  筒部
５４  反射防止シート
６０  電線部材
６１  第１電線部材
６１ａ  雄型コネクタ
６２  第２電線部材
６２ａ  雌型コネクタ
６３  配線モール
７０  ベース部材
７０ａ  環状支持部
７１  振れ止めワイヤ
７２  取付部材
８０，８１  バインド線
９０  台形板部
９０ａ  突出部
１００  ベース部材
１０１  環状支持部
１０２  リング部材
【図１】
2011020774.tif 000003
【図２】
2011020774.tif 000004
【図３】
2011020774.tif 000005
【図４】
2011020774.tif 000006
【図５】
2011020774.tif 000007
【図６】
2011020774.tif 000008
【図７】
2011020774.tif 000009
【図８】
2011020774.tif 000010